(57)【特許請求の範囲】
【請求項１】
遊技者が把持しつつ回動操作することにより遊技盤上に遊技球を打ち出し可能なハンドルを具備するとともに、当該打ち出された遊技球が当該遊技盤上の入賞口に入賞することにより、その入賞に対応した賞球を払い出し可能とされたパチンコ遊技機において、
任意に風を生じさせ得る送風手段と、
前記ハンドル内に形成され、前記送風手段からのエアを案内して当該ハンドル表面側まで送風する案内部材と、
前記ハンドルに形成され、前記案内部材からの送風を外部に吐出し得る吐出孔と、
を具備するとともに、当該送風手段は、瞬間的な風を連続的に生じさせ得るポンプアクチュエータから成るものとされ、
前記案内部材は、その先端側に別体の先端部材が接続されて成り、且つ、当該先端部材を支持しつつ前記吐出孔に対する位置決めを行わせるパイプ接続部材を具備したことを特徴とするパチンコ遊技機。
【請求項２】
前記ポンプアクチュエータは、その筐体内部に形成された密閉空間と、該密閉空間内で往復動作して風を生じさせ得る動作部と、該動作部により生じた風を前記案内部材まで導出する導出部材と、を有することを特徴とする請求項１記載のパチンコ遊技機。
【請求項３】
図柄を変動表示させるとともに所定の演出表示を行わせ得る図柄表示手段を具備し、当該図柄表示手段で行われる図柄の変動表示又は演出表示と連動して前記ポンプアクチュエータを駆動させることを特徴とする請求項１又は請求項２記載のパチンコ遊技機。
【発明の詳細な説明】
【技術分野】
【０００１】
本発明は、遊技者が把持しつつ回動操作することにより遊技盤上に遊技球を打ち出し可能なハンドルを具備するとともに、当該打ち出された遊技球が当該遊技盤上の入賞口に入賞することにより、その入賞に対応した賞球を払い出し可能とされたパチンコ遊技機に関するものである。
【背景技術】
【０００２】
通常、例えば第１種とよばれるパチンコ遊技機においては、その遊技盤に図柄表示手段や始動口等を具備し、該始動口に遊技球が入賞すると、図柄表示手段に図柄を変動表示し、停止図柄が特定のものである場合（例えば３つの数字が揃った場合等）に「大当たり状態」となり、賞球として多数の遊技球を払い出しするとともに、ランプやフラッシュ等の点灯又は点滅、或いはスピーカ等からの効果音の出力を行って演出し得るよう構成されている。また、図柄表示手段においては、上記の如く図柄の変動表示に加え、例えばキャラクタを表示させる等の演出表示が行われるよう構成されている。
【０００３】
然るに、従来、遊技盤に遊技球を打ち出すためのハンドル内に、該ハンドルを振動させる振動手段を設けたものが例えば特許文献１にて開示されている。かかる振動手段は、演出表示に応じたタイミングにてハンドルの一部（遊技者が把持する部位）を振動させるよう制御されており、可変表示装置における演出効果の更なる向上を図るためのものである。これにより、可変表示装置、ランプやフラッシュ等による視覚的演出効果、或いはスピーカからの効果音による聴覚的演出効果に加え、振動による感覚的演出効果を奏することができる。
【特許文献１】特開２００３−３８７３９号公報
【発明の開示】
【発明が解決しようとする課題】
【０００４】
しかしながら、近時において更なる斬新な演出効果が求められるに至っており、遊技者のあらゆる感覚を利用した演出の多様化が進んでいるのが実情であり、上記従来の演出効果のみでは不十分であるという問題があった。このため、本出願人は、従来の視覚的演出効果、聴覚的演出効果及び振動による感覚的演出効果とは異なる演出を行わせ、更に斬新な演出効果を奏する遊技機を検討した。
【０００５】
本発明は、このような事情に鑑みてなされたもので、ハンドルから送風して感覚的演出を行わせることにより、より斬新な演出効果を奏することができるパチンコ遊技機を提供することにある。
【課題を解決するための手段】
【０００６】
請求項１記載の発明は、遊技者が把持しつつ回動操作することにより遊技盤上に遊技球を打ち出し可能なハンドルを具備するとともに、当該打ち出された遊技球が当該遊技盤上の入賞口に入賞することにより、その入賞に対応した賞球を払い出し可能とされたパチンコ遊技機において、任意に風を生じさせ得る送風手段と、前記ハンドル内に形成され、前記送風手段からのエアを案内して当該ハンドル表面側まで送風する案内部材と、前記ハンドルに形成され、前記案内部材からの送風を外部に吐出し得る吐出孔とを具備するとともに、当該送風手段は、瞬間的な風を連続的に生じさせ得るポンプアクチュエータから成るものとされ、前記案内部材は、その先端側に別体の先端部材が接続されて成り、且つ、当該先端部材を支持しつつ前記吐出孔に対する位置決めを行わせるパイプ接続部材を具備したことを特徴とする。
【０００７】
請求項２記載の発明は、請求項１記載のパチンコ遊技機において、前記ポンプアクチュエータは、その筐体内部に形成された密閉空間と、該密閉空間内で往復動作して風を生じさせ得る動作部と、該動作部により生じた風を前記案内部材まで導出する導出部材と、を有することを特徴とする。
【０００８】
請求項３記載の発明は、請求項１又は請求項２記載のパチンコ遊技機において、図柄を変動表示させるとともに所定の演出表示を行わせ得る図柄表示手段を具備し、当該図柄表示手段で行われる図柄の変動表示又は演出表示と連動して前記ポンプアクチュエータを駆動させることを特徴とする。
【発明の効果】
【００１０】
請求項１の発明によれば、ハンドルから送風して感覚的演出を行わせることにより、より斬新な演出効果を奏することができる。また、ハンドルから送風せしめる送風手段は、瞬間的な風を連続的に生じさせ得るポンプアクチュエータから成るので、任意タイミングで瞬間的に強い風を生じさせることができ、送風による感覚的演出効果を更に向上させることができる。
【００１１】
請求項２の発明によれば、ポンプアクチュエータは、その筐体内部に形成された密閉空間と、該密閉空間内で往復動作して風を生じさせ得る動作部と、該動作部により生じた風を案内部材まで導出する導出部材とを有するので、比較的簡易な構成にて任意タイミングで瞬間的に強い風を生じさせることができる。
【００１２】
請求項３の発明によれば、図柄表示手段で行われる図柄の変動表示又は演出表示と連動してポンプアクチュエータを駆動させるので、更なる斬新な演出効果を奏することができる。また、ポンプアクチュエータが任意タイミングで瞬間的に強い風を生じさせることができるので、図柄の変動表示又は演出表示による演出に対し送風タイミングを確実に追従させることができる。
【発明を実施するための最良の形態】
【００１４】
以下、本発明の実施形態について図面を参照しながら具体的に説明する。
本実施形態に係るパチンコ遊技機は、図１に示すように、ガラス板２が取り付けられた前面枠３を有しており、かかるガラス板２から遊技者が遊技盤４を目視し得るよう構成されている。当該遊技盤４には、種々役物や複数の釘、或いは風車等が形成されている。尚、同図中符号６及び７は、遊技盤４に形成された始動口及び大入賞口を示している。
【００１５】
また、遊技盤４の略中央には、液晶表示装置等から成る図柄表示手段５が配設されており、その画面に所定の図柄や背景等を表示し得るようになっている。そして、始動条件が成立（例えば始動口６に遊技球が入賞）したときに、図柄を変動表示させ、特定の図柄が停止表示されることにより「大当たり」状態として大入賞口７を所定時間及びタイミングで開口させ、多数の遊技球を獲得できるよう構成されている。然るに、図柄表示手段５においては、図柄の変動表示に加え、所定の演出表示（例えば「大当たり状態」となる期待度を示す演出等）を行わせ得るよう構成されている。
【００１６】
更に、パチンコ遊技機１の下方右隅部にはハンドル８が配設されており、該ハンドル８の操作により上皿９内の遊技球を遊技盤４へ打ち出すよう構成されている。また、パチンコ遊技機１の下部に形成された下皿１０には、遊技者が所定遊技中に押圧操作させ得るストップボタン１１が配設されており、例えば複数種のリーチ表示に亘ってルーレットを回動させ、ストップボタン１１の押圧操作にて当該ルーレットを停止させることにより所望のリーチを選択させるよう構成されている。
【００１７】
ここで、本実施形態に係るハンドル８は、図２乃至図５に示すように、第１カバー部１２、第２カバー部１４を筐体としつつレバー１３を回動操作自在としたもので、第１カバー部２の表面（遊技者側）には網目シート１７を介してキャップ１６が嵌め込まれて覆われるとともに、基端側がコネクターカバー１５を介してパチンコ遊技機１本体側のステー３２に連結されて構成されている。即ち、金属製のステー３２がパチンコ遊技機１本体の前面枠３に固定されており、このステー３２にハンドル８（図２の如く組み付けられた状態のもの）が固定されるよう構成されているのである。
【００１８】
ハンドル８内には、先端部材１８、パイプ接続部材１９、パイプ状部材２０、ボリューム用連動子２２、レバー用連動子２４、発射強度ボリューム２５、接続カバー２７及びタッチセンサ２９が固定された接続部材２６、所定の電気回路が形成されたプリント基板３０等が配設されている。尚、接続部材２６に固定された接続カバー２７内部には、風（エア）が通過し得る一対の流路が形成されたブッシュ２８が配設されている。
【００１９】
また、接続部材２６には、壁部位２６ａが一体形成されており、この壁部位２６ａに遊技者がハンドル８に触れたことを検知するためのタッチセンサ２９が固定されている。かかるタッチセンサ２９は、図示しないタッチプレートと電気的に接続されるとともに、プリント基板３０を介してパチンコ遊技機１本体と電気的に接続されている。然るに、プリント基板３０は、タッチセンサ２９の他、発射強度ボリューム２５や図示しない単発打ち用センサと接続されている。
【００２０】
ところで、捩りバネ２１の一端はレバー１３に接続されるとともに、他端は第２カバー部１４に接続されており、レバー１３を回動操作した際、捩りバネ２１により初期状態側へ付勢されるよう構成されている。レバー１３の略中央には、レバー用連動子２４が固定され、レバー１３の回動に伴って当該レバー用連動子２４も回動するよう構成されている。このレバー用連動子２４の外周面にはボリューム用連動子２２の外周面に形成された歯と噛み合う複数の歯が形成されている。
【００２１】
ボリューム用連動子２２は、発射強度ボリューム２５の作動子２５ａと接続されるもので、レバー１３が回動してレバー用連動子２４が回転すると、噛み合った歯により連動して回動し、作動子２５ａを回動させ得るよう構成されている。而して、発射強度ボリューム２５は、作動子２５ａの回転角度を検知することによりレバー１３の回動操作角度を検出することができ、その回動角度に応じた発射強度にて遊技球を遊技盤４へ打ち出し可能とされている。尚、捩りバネ２３は、ボリューム用連動子２２を初期状態側へ付勢するものである。
【００２２】
然るに、先端部材１８、パイプ状部材２０、接続カバー２７及び接続部材２６から成る風の通り道は、本発明の案内部材を構成するものであり、ハンドル８の略中央をその長手方向に延設され、後述する送風手段（ポンプアクチュエータＰ）からのエアを案内して当該ハンドル８表面側まで送風するよう構成されている。尚、パイプ接続部材１９、レバー１３及び第２カバー部１４の略中央には、それぞれ貫通孔１９ａ、１３ａ及び１４ａが形成されており、案内部材を構成するパイプ状部材２０が挿通して組み付けられるようになっている。
【００２３】
そして、パイプ接続部材１９の表面側に先端部材１８を接続し、裏面側にパイプ状部材２０を接続するとともに、当該パイプ状部材２０の基端側を接続カバー２７内部のブッシュ２８に突き当て、更に接続部材２６を連結部材３１に接続することにより、風を案内する案内部材が形成されることとなり、これにより、連結部材３１側から導入された風（エア）が先端部材１８まで至るよう構成されている。
【００２４】
一方、ハンドル８の表面側（遊技者側）に位置するキャップ１６には、貫通孔から成る２つの吐出孔１６ａが形成されている。而して、先端部材１８の先端側開口が当該吐出口１６ａと対向するよう位置決めされており、案内部材を通過して先端部材１８の先端から吐出されたエア（風）は、吐出孔１６ａから外部に吐出されるようになっている。尚、本実施形態においては、案内部材を構成する先端部材１８、パイプ状部材２０、接続カバー２７、接続部材２６の連結部材３１との接続部及び連結部材３１の内部には一対の風の流路が形成されており、一対の吐出口１６ａのそれぞれと対応するようになっているが、形成された吐出孔１６ａの数に応じて３つ以上の風の流路を有するもの、或いは１つの風の流路を有するものとしてもよい。
【００２５】
連結部材３１が固定されたステー３２には、ゴム材等の弾性部材を介してポンプアクチュエータＰが固定されている。かかるポンプアクチュエータＰは、瞬間的な風を連続的に生じさせ得るもので、図６、７に示すように、その筐体３４内部に形成された密閉空間Ｓと、該密閉空間Ｓ内で往復動作して風を生じさせ得る動作部（円板状部材３６及びピン状部材３７）と、該動作部により生じた風をハンドル８内の案内部材まで導出する導出部材（導出チューブ３３）とを有する。
【００２６】
より具体的には、筐体３４は図示しないシール部材等により内部が略密閉されて密閉空間Ｓを成すとともに、当該密閉空間Ｓ内には円板状部材３６が配設されている（図７参照）。この円板状部材３６の略中央にはピン状部材３７が挿通固定されており、当該ピン状部材３７の周囲には通電可能なコイル３５が配設されている。また、筐体３４からは一対の導出チューブ３３が接続されており、密閉空間Ｓの空気が当該導出チューブ３３を通って導出されるよう構成されている。
【００２７】
そして、コイル３５に対して断続的に通電すると、ピン状部材３７が図中左右方向に往復動し、これに伴って円板状部材３６が密閉空間Ｓ内で往復動する。かかる円板状部材３６の往復動により密閉空間Ｓの容積が変化し、瞬間的な風を連続的に生じさせるので、その風が導出チューブ３３を通って連結部材３１まで至るようになっている。即ち、本実施形態によれば、上記の如き構成のポンプアクチュエータＰにて風を生じさせているので、例えばシロッコファン（羽根を回転させて風を生じさせるもの）等に比べ、瞬間的な風を生じさせることができ、その瞬間的な風を連続的に生じさせることにより、任意タイミングで強い風を送ることができる。
【００２８】
本実施形態においては、図柄表示手段５で行われる図柄の変動表示又は演出表示と連動してポンプアクチュエータＰを駆動させるよう構成されており、特に大当たり発生時や大当たりのリーチ時にポンプアクチュエータＰを駆動させるのが好ましい。これにより、図柄の変動表示や演出表示のタイミングに合致させて遊技者に風を送ることができ、更なる斬新な演出効果を奏することができる。また、ポンプアクチュエータＰが任意タイミングで瞬間的に強い風を生じさせることができるので、ファンなど他の汎用的な送風手段に比べ、図柄の変動表示又は演出表示による演出に対し送風タイミングを確実に追従させることができる。
【００２９】
上記実施形態によれば、ハンドル８から送風して感覚的演出を行わせることにより、より斬新な演出効果を奏することができるとともに、ハンドル８から送風せしめる送風手段が、瞬間的な風を連続的に生じさせ得るポンプアクチュエータＰから成るので、任意タイミングで瞬間的に強い風を生じさせることができ、送風による感覚的演出効果を更に向上させることができる。
【００３０】
また、ポンプアクチュエータＰは、その筐体３４内部に形成された密閉空間Ｓと、該密閉空間Ｓ内で往復動作して風を生じさせ得る動作部（円板状部材３６及びピン状部材３７）と、該動作部により生じた風を案内部材まで導出する導出部材（導出パイプ３３）とを有するので、比較的簡易な構成にて任意タイミングで瞬間的に強い風を生じさせることができる。
【００３１】
以上、本実施形態について説明したが、本発明はこれらに限定されず、例えば風を生じさせ得る送風手段は、瞬間的な風を連続的に生じさせ得る（言い換えるならば、瞬間的に強い風を所定間隔毎に連続して生じさせ得る）ポンプアクチュエータであれば足り、本実施形態の如き構成に限定されるものではない。また、本実施形態においては、図柄表示手段５で行われる図柄の変動表示又は演出表示と連動してポンプアクチュエータＰを駆動させるよう構成されているが、パチンコ遊技機１の遊技過程における他のタイミングに合致させてポンプアクチュエータＰを駆動させるよう構成してもよい。
【産業上の利用可能性】
【００３２】
任意に風を生じさせ得る送風手段と、ハンドル内に形成され、送風手段からのエアを案内して当該ハンドル表面側まで送風する案内部材と、ハンドルに形成され、案内部材からの送風を外部に吐出し得る吐出孔とを具備するとともに、当該送風手段は、瞬間的な風を連続的に生じさせ得るポンプアクチュエータから成るものとされ、案内部材は、その先端側に別体の先端部材が接続されて成り、且つ、当該先端部材を支持しつつ吐出孔に対する位置決めを行わせるパイプ接続部材を具備したパチンコ遊技機であれば、外観や機能等種々の形態のものに適用することができる。
【図面の簡単な説明】
【００３３】
【図１】本発明の実施形態に係るパチンコ遊技機を示す正面図
【図２】同パチンコ遊技機におけるハンドルを示す右側面図及び正面図
【図３】同パチンコ遊技機におけるハンドルを示す分解斜視図
【図４】同パチンコ遊技機におけるハンドルを示す分解斜視図
【図５】同パチンコ遊技機におけるハンドルを示す縦断面図
【図６】同パチンコ遊技機における送風手段としてのポンプアクチュエータを示す外観図
【図７】同パチンコ遊技機における送風手段としてのポンプアクチュエータを示す縦断面図
【符号の説明】
【００３４】
１    パチンコ遊技機
２    ガラス板
３    前面枠
４    遊技盤
５    図柄表示手段
６    始動口
７    大入賞口
８    ハンドル
９    上皿
１０  下皿
１１  ストップボタン
１２  第１カバー部
１３  レバー
１４  第２カバー部
１５  コネクターカバー
１６  キャップ
１６ａ  吐出孔
１７  網目シート
１８  先端部材
１９  パイプ接続部材
２０  パイプ状部材
２１  捩りバネ
２２  ボリューム用連動子
２３  捩りバネ
２４  レバー用連動子
２５  発射強度ボリューム
２６  接続部材
２７  接続カバー
２８  ブッシュ
２９  タッチセンサ
３０  プリント基板
３１  連結部材
３２  ステー
３３  導出パイプ（導出部材）
３４  筐体
３５  コイル
３６  円板状部材（動作部）
３７  ピン状部材（動作部）
Ｐ    ポンプアクチュエータ（送風手段）
Ｓ    密閉空間
【図１】
0004698664.tif 000002
【図２】
0004698664.tif 000003
【図３】
0004698664.tif 000004
【図４】
0004698664.tif 000005
【図５】
0004698664.tif 000006
【図６】
0004698664.tif 000007
【図７】
0004698664.tif 000008